【事件の表示】
　特許第３０００９５８号「固体撮像装置の駆動方法」の請求項１ないし５に係る特許に対する特許異議の申立てについて、次のとおり決定する。
【結　論】
　訂正を認める。
　特許第３０００９５８号の請求項１ないし５に係る特許を維持する。
【理　由】
［１］手続の経緯
　本件特許３０００９５８号の発明は、平成９年５月２０日に特許出願され、平成１１年１１月１２日にその特許の設定登録がなされ、その後、有限会社オフィスアテナより特許異議の申立がなされ、取消理由が通知され、その指定期間内である平成１２年１２月４日に訂正請求がなされたものである。
　
［２］訂正の適否についての判断
［２−１］訂正の内容
　特許権者が求めている訂正の内容は、以下のとおりである。
（ａ）特許請求の範囲の請求項１を次のとおりに訂正する。
　「【請求項１】　複数のフォトダイオードと各々のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に前記電荷転送部へ読み出すための電極を備え、前記電極が
ｎ相分（ｎは３又は４）
　前記
ｎ相分（ｎは３又は４）
互いに１画素分隔てられたｎ−１個の
（ｂ）発明の詳細な説明の段落（００１０）（００２２）（００２３）の記載を、
　「【００１０】【課題を解決するための手段】本発明の固体撮像装置の駆動方法は、複数のフォトダイオードと各各のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に上記電荷転送部へ読み出すための電極を備え、上記電極が
ｎ相分（ｎは３又は４）
ｎ相分（ｎは３又は４）
互いに１画素分隔てられたｎ−１個の
　「【００２２】【発明の効果】以上説明したように、本発明は、全画素読み出し型固体撮像素子を用い、読出し電極を
ｎ相（ｎは３又は４）
ｎ相（ｎは３又は４）
　「【００２３】本発明によれば、解像度切替えを行った場合に、互いに連続しない
１画素分
ｎ−１個
［２−２］訂正の目的の適否、新規事項の有無及び拡張・変更の存否
　訂正事項（ａ）は、特許明細書の段落（００１３）〜（００１５）、（００１８）〜（００２０）、　図１ないし図３、及び図６〜図８の記載に基いて、特許明細書の請求項１において、「３相分以上」を「
ｎ相分（ｎは３又は４）
互いに１画素分隔てられたｎ−１個の
　訂正事項（ｂ）は、特許請求の範囲の訂正にともない、対応する箇所を訂正するものであり、明りょうでない記載の釈明に該当する。
　訂正明細書の請求項２〜５は、請求項１を引用する請求項であるので、実質的にもとの請求項２〜５の減縮を行なうものである。
　したがって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。
［２−３］　以上のとおりであるから、上記訂正は、特許法第１２０条の４第２項及び第３項において準用する特許法第１２６条第２項ないし第４項の規定に適合するので、当該訂正を認める。
　
［３］申立の理由の概要
　申立人有限会社オフィスアテナは、証拠として甲第１号証（特開平６−１６５０４１号公報）、甲第２号証（特開平８−５６３１２号公報）を提出し、請求項１ないし５に係る発明についての特許は、特許法第２９条第１項第３号または第２項の規定に違反してなされたものであるので、特許を取り消すべきものと主張している。
　
［４］本件発明
　本件特許第３０００９５８号の請求項１、２、３、４、５に係る発明は、訂正明細書の特許請求の範囲の請求項１ないし５に記載された事項により特定される次のとおりのもの（以下、それぞれ「本件発明１、２、３、４、５」という。）である。
　「【請求項１】（上記［２−１］（ａ）のとおり。）
　【請求項２】〜【請求項５】（特許明細書のとおり。）」
　
［５］本件発明１ついて
［５−１］刊行物記載の発明
　当審が通知した取消理由で引用した刊行物１（上記甲第１号証）には、「固体撮像装置およびその駆動方法」に関し、
（ａ）「２次元的に配置された複数個の光電変換素子と、前記光電変換素子列に隣接し光電変換素子から読み出した信号電荷を垂直転送する垂直転送部と、全光電変換素子からの信号電荷を蓄積できる段数を有する蓄積部と、前記蓄積部からの信号電荷を水平転送する水平転送部とを有し、かつ前記垂直転送部の転送電極が２ｎ枚（ｎは３以上の正の整数）を１単位とし、２ｎ枚の転送電極はそれぞれ独立に駆動できる固体撮像装置の駆動方法において、垂直帰線期間内に全ての光電変換素子からの信号電荷をｎ回に分けて蓄積部へ転送する固体撮像装置の駆動方法。」（特許請求の範囲の請求項３）が記載され、より具体的には、
（ｂ）「図１（ａ）に示すように、まず最初に光電変換素子１１および１５からそれぞれ信号電荷１１および１５を読み出し、蓄積部４へ転送する。このような読み出し、転送を４回繰り返すことにより、図１（ｂ）に示すように蓄積部４に下から順に、１５−１１−１６−１２−１７−１３−１８−１４の信号電荷が転送され、出力部６から出力された後」（段落（００１５））と記載されている。
　同じく引用した刊行物２（上記甲第２号証）には、「固体撮像素子及びその駆動方法」に関し、
（ｃ）「水平ブランキング期間にｎ個の垂直転送パルスが前記垂直転送部の前記垂直転送電極に印加され、前記受光部から読み出された電荷が１水平期間に垂直方向にｎ段分転送される」（段落（００３２））と記載されている。
［５−２］対比・判断
　本件発明１と刊行物１に記載された発明を対比すると、刊行物１に記載された発明は、８個の信号電荷読み出し電極に４回異なったタイミングで読み出しパルスを重畳させて信号電荷を読み出すので、本件発明１の「４相分の信号電荷読み出し用電極」を具えるものに対応するから、両者は、
　「複数のフォトダイオードと各々のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に前記電荷転送部へ読み出すための電極を備え、前記電極が
ｎ相分（ｎは３又は４）
　前記
ｎ相分（ｎは３又は４）
　しかしながら、本件発明１では、「
ｎ相分（ｎは３又は４）
互いに１画素分隔てられたｎ−１個の
　また、刊行物２にも、上記構成Ａについて、何ら記載されていない。
　上記構成Ａにより、本件発明１は、明細書記載の効果を奏するものであるので、上記刊行物１、２に記載された発明ではなく、またこれらに基づいて当業者が容易に発明をすることができたものでもない。
　
［６］本件発明２ないし５について
　本件発明２ないし５は、本件発明１を引用する発明であるので、本件発明１と同様の理由により、上記刊行物１ないし２に記載された発明に基づいて当業者が容易に発明をすることができたものではない。
　
［７］むすび
　以上のとおりであるから、特許異議申立の理由及び証拠によっては、本件発明１、２、３、４、５に係る発明の特許を取り消すことはできない。
　また、他に本件発明１、２、３、４、５の特許を取り消すべき理由を発見しない。
　よって、結論のとおり決定する。
【異議決定日】
平成１２年１２月２０日（２０００．１２．２０）
【訂正の要旨】
（１）訂正事項
　特許明細書中の
「【請求項１】複数のフォトダイオードと各各のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に前記電荷転送部へ読み出すための電極を備え、前記電極が３相分以上で、周期的に配列されている固体撮像装置の駆動方法において、前記３相分以上の信号電荷読出し用電極に、それぞれ異なったタイミングで読出しパルスを重畳させて信号電荷を読み出し、前記信号電荷の読出しにより、前記電荷転送部の電荷転送方向に少なくとも１画素分以上を隔てた信号電荷を互いに隣接するように並べ替えることを特徴とする固体撮像装置の駆動方法。」を、「特許請求の範囲の減縮」を目的として、
「【請求項１】複数のフォトダイオードと各各のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に前記電荷転送部へ読み出すための電極を備え、前記電極が
ｎ相分（ｎは３又は４）
前記
ｎ相分（ｎは３又は４）
互いに１画素分隔てられたｎ−１個の
（２）訂正事項
　特許請求の範囲の記載と発明の詳細な説明の記載との整合をとるため、特許明細書中の
「【００１０】
　【課題を解決するための手段】本発明の固体撮像装置の駆動方法は、複数のフォトダイオードと各各のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に上記電荷転送部へ読み出すための電極を備え、上記電極が３相分以上で、周期的に配列されている固体撮像装置の駆動方法において、上記３相分以上の信号電荷読出し用電極に、それぞれ異なったタイミングで読出しパルスを重畳させて信号電荷を読み出し、上記信号電荷の読出しにより、上記電荷転送部の電荷転送方向に少なくとも１画素分以上を隔てた信号電荷を互いに隣接するように並べ替えることを特徴とする。」および
「【００２２】
　【発明の効果】以上説明したように、本発明は、全画素読み出し型固体撮像素子を用い、読出し電極を３相以上とし、固体撮像装置として各各の読出し電極に印加される駆動パルスを３相以上として、駆動により垂直方向の信号電荷を並べ替える。これにより、画角を変えずに解像度の切替えが可能になる。
　【００２３】本発明によれば、解像度切替えを行った場合に、互いに連続しない１画素分以上を隔てた元の画素からの信号電荷が隣り合うように並べ替え、その並べ替えた信号電荷の和を取ることで、カラー表示においても異なる色どうしの混色なしに感度および飽和出力を飛躍的に向上させることが可能である。又、電子シャッタを併用すれば、感度およびダイナミックレンジを変えずに画像画角と解像度の切替えも可能である。」
を、「明りょうでない記載の釈明」を目的として、
「【００１０】
　【課題を解決するための手段】本発明の固体撮像装置の駆動方法は、複数のフォトダイオードと各各のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に上記電荷転送部へ読み出すための電極を備え、上記電極が
ｎ相分（ｎは３又は４）
ｎ相分（ｎは３又は４）
互いに１画素分隔てられたｎ−１個の
「【００２２】
　【発明の効果】以上説明したように、本発明は、全画素読み出し型固体撮像素子を用い、読出し電極を
ｎ相（ｎは３又は４）
ｎ相（ｎは３又は４）
　【００２３】本発明によれば、解像度切替えを行った場合に、互いに連続しない
１画素分
ｎ−１個
（５４）【発明の名称】
固体撮像装置の駆動方法
（５７）【特許請求の範囲】
　【請求項１】　複数のフォトダイオードと各各のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に前記電荷転送部へ読み出すための電極を備え、前記電極が
ｎ相分（ｎは３又は４）
前記
ｎ相分（ｎは３又は４）
互いに１画素分隔てられたｎ−１個の
　【請求項２】　請求項１に記載の固体撮像装置の駆動方法において、前記信号電荷の読出し、並べ替え後の転送を水平ブランキング期問内に少なくとも２ライン分以上行うことを特徴とする固体撮像装置の駆動方法。
　【請求項３】　請求項２に記載の固体撮像装置の駆動方法において、前記水平ブランキング期間内に少なくとも２ライン分以上転送された信号電荷を水平転送レジスタ内で加算することを特徴とする固体撮像装置の駆動方法。
　【請求項４】　請求項３に記載の固体撮像装置の駆動方法において、前記信号電荷の読出しおよび転送により並べ替えられた信号電荷により得られる画像は垂直解像度が１／２以下であることを特徴とする固体撮像装置の駆動方法。
　【請求項５】　請求項１乃至４に記載の固体撮像装置の駆動方法において、前記固体撮像素子がＲＧＢベイや配列型のカラーフィルタを備えることを特徴とする固体撮像装置の駆動方法。
【発明の詳細な説明】
　【０００１】
　【発明の属する技術分野】　本発明は、固体撮像装置の駆動方法に関し、特に、単位画素の信号電荷を一括して読み出す全画素読出し型の固体撮像素子を用いた固体撮像装置の駆動方法に関する。
　【０００２】
　【従来の技術】従来のこの種の固体撮像装置について、図９及び図１０を参照して説明する。図９は、従来の技術による全画素読出し型固体撮像素子の全体構成を示す図である。図９を参照して、この図に示す固体撮像素子は、光を信号電荷に変換する光電変換領域（ＲＧＢベイや配列型フィルタ）６と、画像の基準レベルとなる光学的黒レベル領域７と、余剰電荷を掃き捨てるための垂直余剰電荷掃出しドレイン１及び水平余剰電荷掃出しドレイン２と、信号を強制的に入力可能な入力ダイオード３と、水平転送レジスタ５と、出力アンプ４と、図１０（ａ）に示す垂直転送レジスタ８とで構成されている。
　【０００３】以下に、上述の固体撮像素子を用いて固体撮像装置を構成した場合の動作について、図１０を参照して説明する。垂直転送レジスタ転送電極は、図１０（ａ）に示すように、各単位画素に対し電極φＶ１，φＶ２，φＶ３，φＶ４の４電極で構成される。そして、単位画素の信号電荷をφＶ３で読み出し、４電極のうちの２電極下に蓄積する構成となっている。図１０（ｂ）は、上記４電極のそれぞれに印加される駆動パルスのタイミングチャートを示す。この固体撮像装置は、固体撮像素子が４個の異なるパルスで駆動される、４相駆動となっている。しかし、各画素の信号電荷読出し電極についてみれば、（φＶ１，φＶ２，φＶ３，φＶ４）という同じ１種類のパルスの組合せで電荷読出しが行われる画素が繰り返し配列されている、１相駆動であるといえる。尚、以下の説明では、理解を容易にするために、符号φＶ１，φＶ２，・・・，φＶｎで、電極又はその電極に一対一に対応して印加される駆動パルスを表すものとする。
　【０００４】図１０（ｃ）は、単位画素から信号電荷を読み出し、転送する時の電荷の移動の様子を、単位画素に対応させて示している。ここで、時刻ｔｌから時刻ｔ２はそれぞれ、図１０（ｂ）に対応している。単位画素のフォトダイオードで光電変換された信号電荷は時刻ｔ１に電極φＶ３に読み出されると共に、電極φＶ３，φＶ４下に蓄積される。時刻ｔ２でパルスφＶ１がオンし、次に時刻ｔ３でパルスφＶ３がオフすることにより、１電極分が転送される。この動作を繰り返すことにより、信号電荷が順次転送され、時刻ｔ９には単位画素分が転送される。
　【０００５】ここで、駆動パルスを変更することにより、信号電荷数を、垂直方向に限って１／２だけ掃き捨て１／２だけを信号電荷として使用して、垂直解像度を１／２に変換する方法について説明する。図１１は、全画素と、垂直方向１／２の掃き捨てる画素領域１１と、１／２の信号電荷として使用する画素領域１２とを示している。図１２（ａ），（ｂ）は、垂直転送レジスタの電極φＶ１，φＶ２，φＶ３，φＶ４にそれぞれ印加される駆動パルス及び、水平転送レジスタの電極φＨ１，φＨ２にそれぞれ印加される駆動パルスを示す。
　【０００６】先ず、図１２（ａ），（ｂ）中の時刻ｔ１において、信号電荷が読出しパルスで垂直転送レジスタに読み出される。次いで、時刻ｔ２〜ｔ３までの間に、全画素を転送するための転送レートで、図１１に示す垂直方向１／２の信号電荷領域１２までを水平転送レジスタまで転送する。そして、図１１の垂直方向１／２の掃き捨てる領域１１の信号電荷は、次のフレームが始まるまでの時間で、図１２（ｂ）の時刻ｔ３〜ｔ４に示す垂直高速駆動パルスにより、水平転送レジスタに高速転送される。高速転送された信号電荷は、水平転送レジスタ下部に形成された余剰電荷掃出しドレイン２に、捨てられる。尚、電荷の掃出し先は、水平転送レジスタの下部に形成された余剰電荷掃出しドレイン２に限らず、出力回路４に水平転送レジスタで高速転送を行ってもよい。この時使用しない信号電荷は、画像に使用されないことから、掃き捨てられたのと同じである。その他、垂直転送レジスタ上部、水平転送レジスタとは反対側の余剰電荷掃出しドレイン１に、垂直転送レジスタ内の使用しない信号電荷を高速逆転送して掃き捨ててもよい。
　【０００７】図１３〜図２０には、他の信号電荷掃捨て方法を示す。図１３は、図１１に対して、垂直方向の上１／２の信号電荷を使用し、下１／２を掃き捨てる場合を示す。これに対し、図１４は、水平方向の左１／２の信号電荷を使用し、右１／２を掃き捨てる場合を示す。図１５は、水平方向の右１／２を使用し、左１／２を掃き捨てる場合を示す。この他に、これら水平方向と垂直方向とを組み合わせてもよく、図１６は、垂直方向の上１／４と下１／４とを掃き捨てると共に、水平方向の左１／４と右１／４とを掃き捨てることにより、全画素の中心部分を信号電荷として使用する場合を示す。図１７は、垂直方向の上１／２と水平方向の右１／２とを掃き捨てて全画素の左下を信号電荷として使用する場合を示す。図１８は、垂直方向の上１／２と左１／２とを掃き捨てて全画素の右下を信号電荷として使用する場合を示す。図１９は、垂直方向の下１／２と水平方向の右１／２とを掃き捨てて全画素の左上を信号電荷として使用する場合を示す。図２０は、垂直方向の下１／２と水平方向の左１／２とを掃き捨てて全画素の右上を信号電荷として使用する場合を表す。
　【０００８】いずれの方法も基本的には同じで、使用しない信号電荷は垂直および水平転送レジスタにおいて高速転送を行うことにより、信号電荷を掃出しドレインに掃き捨てるか、又は使用しないという処理がなされる。
　【０００９】
　【発明が解決しようとする課題】上述した従来の固体撮像装置の駆動方法においては、選択した必要信号電荷以外は掃き捨てなければならない。従って、信号が無駄になってしまう。又、全画素の一部しか信号電荷として使用しないので、全画素使用時の画像の大きさよりも小さくなってしまい、画角が変わってしまう。更に、信号電荷の掃捨てに伴う高速転送のために、駆動回路の能力を高くしなければならず、固体撮像装置としての低消費電力化ができない、撮像素子自体を高速転送時に転送不良が発生しないようにしなければならず、素子の設計に負担がかかり、良品率が低下してしまうという問題があった。
　【００１０】
　【課題を解決するための手段】本発明の固体撮像装置の駆動方法は、複数のフォトダイオードと各各のフォトダイオードに隣接した電荷転送部とを備え、各各のフォトダイオードで発生した信号電荷をそれぞれ独立に、同時に、全て読み出し、転送する構成の全画素読出し型の同体撮像素子を用いた固体撮像装置であって、フォトダイオードからの信号電荷を個々のフォトダイオード毎に上記電荷転送部へ読み出すための電極を備え、上記電極が
ｎ相分（ｎは３又は４）
ｎ相分（ｎは３又は４）
互いに１画素分隔てられたｎ−１個の
　【００１１】
　【００１２】
　【００１３】
　【発明の実施の形態】次に、本発明の実施の形態について、図面を参照して説明する。図１は、第１の実施の形態による固体撮像装置における垂直転送レジスタの電極構成を示す。図２（ａ）は、垂直転送レジスタの各電極に印加される駆動パルスのタイミング図を示し、図２（ｂ）は、信号電荷が読み出され、並べ替えられる様子を示す。図３は、元画像が垂直解像度１／２に変換される様子をそれぞれ表す。
　【００１４】図１を参照して、本実施例に用いられる固体撮像素子は、カラーフィルタ構成がＲＧＢベイや配列型で、φＶ１，φＶ２，φＶ３Ａ，φＶ３Ｂ，φＶ３Ｃ，φＶ４の６相のパルスで駆動される。但し、フォトダイオード９から電荷転送部への信号電荷の読出しについてみれば、図示するように、（φＶ１，φＶ２，φＶ３Ａ，φＶ４）というパルスの組合せで電荷読出しがなされる画素、（φＶ１，φＶ２，φＶ３Ｂ，φＶ４）というパルスの組合せで電荷読出しがなされる画素、（φＶ１，φＶ２，φＶ３Ｃ，φＶ４）というパルスの組合せで電荷読出しがなされる画素の３種類の画素が、周期的に配列されていることになる。つまり、信号読出しのためのパルスの組合せが３種類の、３相駆動であるといえる。
　【００１５】以下に、本実施の形態における信号電荷の加算について、説明する。図２を参照して、時刻ｔ１に垂直転送レジスタ内に読み出された信号電荷Ｒ３１は、時刻ｔ２に単位画素Ｇ２１の位置まで転送される。それと同時に、信号電荷Ｒ１１，Ｇ４１が読み出される。時刻ｔ３で、信号電荷Ｒ１１，Ｒ３１，Ｇ４１が単位画素ＯＢ，Ｒ１１，Ｒ３１の位置までそれぞれ転送されると同時に、信号電荷Ｇ２１が読み出される。下から、Ｒ１１，Ｇ２１，Ｒ３１，Ｇ４１の順だった画素は、この読出しおよび転送方法によって、図３に示すように、垂直方向の信号データＲ１１，Ｒ３１，Ｇ２１，Ｇ４１の順に並べ替えられる。すなわち、１画素隔てて配置された同一種類のカラーフィルタの画素の信号が、お互いに隣接するように並べ替えられたことになる。
　【００１６】又、図４に示すように、並べ替えた信号電荷を水平ブランキング周期内で２ライン分転送して、Ｒ１１＋Ｒ３１，Ｇ２１＋Ｇ４１のように同一種フィルタの画素の信号電荷が水平転送レジスタで加算されるようにすると共に、水平方向の画素についても外部回路または画像処理ソフトで、１画素分隔てた画素の信号が互いに隣接するように並べ替え、同一種類のフィルタの画素信号の和を取ることにより、垂直および水平の解像度が１／２の画像を得ることができる。この一連の様子を、図５に、分図（ａ），（ｂ），（ｃ）の順に示す。
　【００１７】このとき、前述した従来の技術による固体撮像装置の駆動方法とは異なって、全画素の或る領域を掃き捨てていないので、画角は全く変化せずに解像度が１／２に変換される。すなわち、画角を変えずに垂直および水平画素数が共に１／２の固体撮像素子を用いたのと同じことになり、例えばコンピュータディスプレイ規格のＶＧＡとＳＩＦとの変換を容易に行えることになる。この場合、互いに連続しない１画素分以上を隔てた元の４画素を加算して１画素として扱っているので、異なる色どうしの混色なしに感度は４倍で且つ飽和出力も４倍となる。従って、切替え時の画像での標準出力設定を元の画像と同じにすれば、ダイナミックレンジは元の画像の４倍になる。電子シャッタを併用し、フォトダイオードの蓄積時間を１／４にしておけば、元の画像と同様に取り扱うこともできる。
　【００１８】次に、本発明の第２の実施の形態について、図６〜図８を参照して説明する。図６は、第２の実施の形態による固体撮像素子における垂直転送レジスタの電極構成を示す。図７は、垂直転送レジスタの各電極に印加される駆動パルスのタイミング図を上部に示し、信号電荷が読み出され、並べ替えられる様子を紙面下部に示す。図８は、元画像が垂直解像度１／３に変換される様子を示す。
　【００１９】図６を参照して、本実施の形態における固体撮像素子もカラーフィルタ構成がＲＧＢベイや配列型で、φＶ１，φＶ２，φＶ３Ａ，φＶ３Ｂ，φＶ３Ｃ，φＶ３Ｄ，φＶ４の７相のパルスで駆動される。但し、フォトダイオードから電荷転送部への信号電荷の読出しについてみれば、（φＶ１，φＶ２，φＶ３Ａ，φＶ４）というパルスの組合せで電荷読出しがなされる画素、（φＶ１，φＶ２，φＶ３Ｂ，φＶ４）というパルスの組合せで電荷読出しがなされる画素、（φＶ１，φＶ２，φＶ３Ｃ，φＶ４）というパルスの組合せで電荷読出しがなされる画素、（φＶ１，φＶ２，φＶ３Ｄ，φＶ４）というパルスの組合せで電荷読出しがなされる画素の４種類の画素が、周期的に配列されていることになる。つまり、信号読出しのためのパルスの組合せが４種類の、４相駆動であるといえる。
　【００２０】以下に、本実施の形態における信号電荷の加算について、説明する。図７を参照して、時刻ｔ１において垂直転送レジスタ内に読み出された信号電荷Ｒ５１は、時刻ｔ２に単位画素Ｇ４１の位置まで転送される。それと同時に、信号電荷Ｒ３１，Ｇ６１が読み出される。時刻ｔ３までに電荷Ｒ３１，Ｒ５１，Ｇ６１が単位画素Ｇ２１，Ｒ３１，Ｒ５１の位置までそれぞれ転送されると同時に、信号電荷Ｒ１１が読み出される。更に、時刻ｔ４までに電荷Ｒ１１，Ｒ３１，Ｒ５１，Ｇ６１が単位画素ＯＢ，ＯＢ，Ｒ１１，Ｒ３１の位置までそれぞれ転送されると同時に、信号電荷Ｇ４１，Ｇ２１がそれぞれ読み出される。下からＲ１１，Ｇ２１，Ｒ３１，Ｇ４１，Ｒ５１，Ｇ６１の順であった画素は、この読出し及び転送により、Ｒ１１，Ｒ３１，Ｒ５１，Ｇ２１，Ｇ６１，Ｇ４１の順に並べ替えられる。これを図８に示すように、水平ブランキング期間内に垂直方向へ３ライン分転送し、水平転送レジスタでＲ１１，Ｒ３１，Ｒ５１を加算し、又、Ｇ２１，Ｇ４１，Ｇ６１を加算することにより、画角の変化無Ｕこ垂直方向の解像度が１／３に変換される。
　【００２１】尚、これまではカラーの例についてのべたが、白黒の場合であっても、画角が変わらずに解像度を切り替えられることは、言うまでもない。
　【００２２】
　【発明の効果】以上説明したように、本発明は、全画素読み出し型固体撮像素子を用い、読出し電極を
ｎ相（ｎは３又は４）
ｎ相（ｎは３又は４）
　【００２３】本発明によれば、解像度切替えを行った場合に、互いに連続しない
１画素分
ｎ−１個
　【００２４】本発明は、あらゆる方式の全画素読出し型固体撮像素子搭載の固体撮像装置に適用可能である。
【図面の簡単な説明】
　【図１】本発明の第１の実施の形態における固体撮像素子の垂直転送レジスタの電極構成を示す図である。
　【図２】第１の実施の形態の駆動パルスのタイミング図および、信号電荷の転送状態を示す図である。
　【図３】第１の実施の形態において、元画像が垂直解像度１／２に変換される様子を示す図である。
　【図４】第１の実施の形態の駆動パルスのタイミング図および信号電荷の転送状態を示す図である。
　【図５】第１の実施の形態において、垂直および水平の解像度が１／２に変換される様子を示す図である。
　【図６】本発明の第２の実施の形態における固体撮像素子の垂直転送レジスタの電極構成を表す図である。
　【図７】第２の実施の形態における駆動パルスのタイミング図および、信号電荷の転送状態を示す図である。
　【図８】第２の実施の形態において、元画像が垂直解像度１／３に変換される様子を示す図である。
　【図９】従来の技術による固体撮像装置における固体撮像素子の一例の構成を示す図および、垂直転送レジスタの電極構成を示す図である。
　【図１０】従来の固体撮像装置を駆動するパルスのタイミング図および、信号電荷の転送状態を示す図である。
　【図１１】従来の固体撮像装置における解像度切替えの第１の方法を説明するための図である。
　【図１２】解像度切替えの第１の方法における駆動パルスのタイミング図および、信号電荷の転送状態を示す図である。
　【図１３】従来の固体撮像装置における解像度切替えの第２の方法を説明するための図である。
　【図１４】従来の固体撮像装置における解像度切替えの第３の方法を説明するための図である。
　【図１５】従来の固体撮像装置における解像度切替えの第４の方法を説明するための図である。
　【図１６】従来の固体撮像装置における解像度切替えの第５の方法を説明するための図である。
　【図１７】従来の固体撮像装置における解像度切替えの第６の方法を説明するための図である。
　【図１８】従来の固体撮像装置における解像度切替えの第７の方法を説明するための図である。
　【図１９】従来の固体撮像装置における解像度切替えの第８の方法を説明するための図である。
　【図２０】従来の固体撮像装置における解像度切替えの第９の方法を説明するための図である。
　【符号の説明】
１　　垂直余剰電荷掃出しドレイン
２　　水平余剰電荷掃出しドレイン
３　　入力ダイオード
４　　出力アンプ
５　　水平転送レジスタ
６　　光電変換領域
７　　光学的黒レベル領域
８　　垂直転送レジスタ
９　　フォトダイオード
１１　掃き捨てる領域
１２　信号電荷として使用する領域